(57)【要約】【課題】  トナーによって抽選情報が印刷基材上に印字された被覆構造部を有する印刷物であっても、被覆層の上から印字情報を読み取ることができない被覆構造部を有する印刷物を提供する。【解決手段】  印刷基材上にプリンターによりプリントされた印字情報部を有し、前記印字情報部の少なくとも一部が、除去されることを前提に形成された被覆構造部によって目視不能に被覆された印刷物において、前記印字情報部はトナーによって形成され、前記被覆構造部は前記印刷基材面から前記印字情報部、透明な下塗り層、透明な剥離層、印字情報を隠すための被覆層、図柄印刷層が順次重ねて形成された構造をなし、前記被覆層は前記剥離層の外側に所定の幅の縁を伴って形成された被覆構造部を有する印刷物を提供する。【選択図】  図１
2014088035.tif 000002
【特許請求の範囲】
【請求項１】
印刷基材上にプリンターによりプリントされた印字情報部を有し、前記印字情報部の少なくとも一部が、除去されることを前提に形成された被覆構造部によって目視不能に被覆された印刷物において、前記印字情報部はトナーによって形成され、前記被覆構造部は前記印刷基材面から前記印字情報部、透明な下塗り層、透明な剥離層、印字情報を隠すための被覆層、図柄印刷層が順次重ねて形成された構造をなし、前記被覆層は前記剥離層の外側に所定の幅の縁を伴って形成されたことを特徴とする被覆構造部を有する印刷物。
【請求項２】
請求項１に記載の被覆構造部を有する印刷物において、図柄印刷層は図柄、数字、文字またはこれらの組み合わせパターンが印刷された層であることを特徴とする被覆構造部を有する印刷物。
【発明の詳細な説明】
【技術分野】
【０００１】
本発明は被覆構造部を有する印刷物に関し、詳しくはトナーによって印字された印字情
報部を遮蔽するための被覆構造部を有する印刷物に関する。
【背景技術】
【０００２】
多くで利用されている籤は、開封籤，スクラッチ籤（インスタント籤，被封籤などと呼
ばれるが、本発明の遮蔽構造部を有する印刷物はこのイメージに最も近い），数字選択籤
に大別することができる。
まず、開封籤は、一意の番号が印刷された券を一定の金額で購入し、後日、発表された
番号が一致すれば当せん金等を受け取ることのできる籤である。各種宝くじなどはこの開
封籤に該当する。
次に、スクラッチ籤は、券面に予め「あたり」、「はずれ」，「あたり番号」等が印刷
され、その上から被覆（または遮蔽）材料で被覆されて、購入後にコインなどで被覆材料
を除去すると結果がわかる籤で、前述のように「インスタント籤」，「被封籤」などと呼
ばれるものである。
また、数字選択籤は、一定のルールに従った任意の番号の組み合わせを指定した券を一
定の金額で購入し、後で行われる抽選で組み合わせ番号が一致すれば当選となる籤である
。
【０００３】
前述のスクラッチ籤の籤情報が被覆されている部分は鉛色や黒色になっているが、その
上にフルカラーの印刷を施した「フルカラースクラッチオフ籤券」が提供されている（例
えば、特許文献１参照）。
【先行技術文献】
【特許文献】
【０００４】
【特許文献１】特開平１１−１５７２６６号公報
【発明の概要】
【発明が解決しようとする課題】
【０００５】
例えば、抽選券を作成する場合は、ほとんどの籤を「はずれ」券として印刷し、印刷版
を変え「あたり」券を極めて小数印刷し、例えば「あたり」、「はずれ」と印刷された部
分を不透明なスクラッチインキで隠して抽選券としている。
抽選会場では抽選箱に「はずれ」券を入れ、定められた枚数の「あたり」券を混ぜ合わ
せて抽選会を実施している。
近年、抽選券に、抽選会場、期間、時間などの固有の情報をプリントし、抽選券などと
して使用している例が増えている。
この場合、固有情報及び「あたり」、「はずれ」はインクジェットプリンタやレーザプ
リンターで印字され、「あたり」、「はずれ」の部分を遮蔽インキで被覆して使用してい
る。
【０００６】
前述の、印字情報をレーザプリンターで印字した場合、遮蔽インキで隠された「あたり
」、「はずれ」の文字が、トナー部が厚くなっているために被覆した遮蔽インキの上から
読み取られてしまうという課題があった。
そこで、本発明は、トナーによって抽選情報が印刷基材上に印字された被覆構造部を有
する印刷物であっても、被覆層の上から印字情報を読み取ることができない被覆構造部を
有する印刷物を提供することを目的とするものである。
【課題を解決するための手段】
【０００７】
上記課題の目的を達成するために、本発明の被覆構造部を有する印刷物の第一の態様は
、印刷基材上にプリンターによりプリントされた印字情報部を有し、前記印字情報部の少
なくとも一部が、除去されることを前提に形成された被覆構造部によって目視不能に被覆された印刷物において、前記印字情報部はトナーによって形成され、前記被覆構造部は前記印刷基材面から前記印字情報部、透明な下塗り層、透明な剥離層、印字情報を隠すための被覆層、図柄印刷層が順次重ねて形成された構造をなし、前記被覆層は前記剥離層の外側に所定の幅の縁を伴って形成されたことを特徴とするものである。
【０００８】
また、第二の態様は、第一の態様において、図柄印刷層は図柄、数字、文字またはこれらの組み合わせパターンが印刷された層であることを特徴とするものである。
【発明の効果】
【０００９】
本発明によれば、剥離層は複数で構成されたことによって、例えば、印刷基材の表面が凹凸であっても、被覆層をきれいに剥がすことができる。
【図面の簡単な説明】
【００１０】
【図１】本実施形態の被覆構造部を有する印刷物について説明するための図である。
【図２】図１のＡ−Ａ線断面図である。
【図３】被覆構造部の被覆層を剥がした状態を示す図である。
【図４】、被覆層を偽造した場合について説明するための図である。
【発明を実施するための形態】
【００１１】
以下、図面を参照して本実施形態の被覆構造を有する印刷物について説明する。
本実施形態の被覆構造を有する印刷物は、トナーで印字される印刷物を対象としている
。
トナーで印字するプリンターとして、レーザプリンターがある。
レーザプリンターは、コンピュータから送られた印刷イメージデータを帯電された感光
体にレーザを照射して照射部分の電位を変化させ、照射された部分にトナーを静電気で付
着させる。感光体上に付着したトナーは、感光体とは逆の電位の転写ロールにより用紙に
転写される。転写されたトナーは定着ローラーによって熱と圧力で用紙上に定着される。
多くのプリンターはページ単位で印刷するため、ページプリンターと呼ばれる。
レーザプリンターは、一枚あたりのプリントコストが安く、また、トナーの細かさによ
って３００ｄｐｉから２４００ｄｐｉでの印刷が可能である。普通紙に対しても高速で高
品質な印刷が可能であるが、消費電力が大きく発熱量も多いのが特徴である。
また、レーザプリンターによる印字は、インクジェットによる印字と異なりインク滲み
がない為、広範囲の紙に印字できる一方で、粒子が大きなトナーの場合は印字部分が盛り
上がるという特徴がある。
【００１２】
図１に示す被覆構造を有する印刷物１は、抽選券の一例で、抽選券をおもて面から見た
図である。
本実施形態の被覆構造を有する印刷物１は、印刷基材１０の表面に抽選が行われるイベ
ント「会場」、イベント及び抽選が行われる「期間」、抽選が行われる「時間」などの固
有情報１１や被覆構造部２に被覆された印字情報（図示せず）がトナーでプリントされて
いる。
前述の被覆構造部で遮蔽された「籤」などの印字情報（以下、印字情報部ともいう）は
、後述する除去されることを前提に形成された被覆構造（以下、スクラッチ部ともいう）
によって目視不能に被覆されている。
【００１３】
図２を参照して、図１のＡ−Ａ線断面について説明する。
前述の被覆構造部２は、印刷基材１０の表面から、トナーによる印字情報部３、透明な
剥離層２２、被覆層２３、図柄印刷層２４が順次重ねられて形成された構造になっている
。
また、被覆層２３は剥離層２２の外側に所定の幅の縁（被覆層２３が剥離層２２の外側
に延長した部分）を伴って形成されている。
【００１４】
図２に示す例は、印刷基材１０の凹凸面を平坦にするために、透明な剥離層２２の下側に透明な下塗り層２１が設けられている。
被覆層２３の表出面の図柄印刷層２４は、トナーによる印字情報３を被覆層２３の外側
から判別し難くするために設けられる。
印字情報部３のトナーの厚さは、プリンターの印字の精度とも関連し、トナーの粒子が
粗いほど厚くなる。また、トナーによってカラープリントする場合は、トナーの重なりが
多いブラック表示部（黒色の文字など）ほど厚くなる。
【００１５】
また後述するように、スクラッチ部が一度剥がされ、覗き見されて抽選券の籤部の「は
ずれ」券の被覆構造部が元に戻されるという偽造が行われる。このような偽造を防止する
ために図柄印刷層２４が設けられる。
被覆層２３が最表面の構造になっていると、トナーの凹凸が被覆層２３に再現されてい
るために印字情報が読み取られてしまう。
図柄印刷層２４が最表面に設けられていることによってトナーの凹凸が判別不可能にな
る。図柄印刷部２４には図柄又は、デザイン化された数字、文字、またはこれらの組み合
わせパターンが地紋として印刷される。
【００１６】
図２、図３を参照して、被覆構造部の被覆層を剥がした状態について説明する。
被覆構造部２から、コインや爪などによって被覆層２３が取り除かれると透明な剥離層
２２の表面が露出し、剥離層２２の下の印字情報「あたり」が表出する。
被覆層２３は剥離層２２の外側に所定の幅の縁を伴って形成されているために、剥離層
２２の上部の被覆層２３は除去されるが、剥離層２２の外側の被覆層２３は印刷基材上に
直接印刷されるために、所定の幅の縁として図柄印刷層２４を伴った状態で残される。
【００１７】
図３、図４を参照して、被覆層を偽造した場合について説明する。
図３の状態の被覆構造部２の上から、剥離層２２と略同じ大きさの被覆層２３を形成し
、その上に図柄印刷部を形成すると、図４に示すように、偽造のために形成した図柄印刷
部２４０の図柄が、最初から存在している図柄印刷部２４の図柄とつながらない状態で形
成される。
偽造のために形成する被覆層を最初から印刷されている被覆層２３と同じ大きさで印刷
しても印刷の位置が一致しない（印刷の見当が合わない）ために最初から印刷されている
図柄印刷部２４の図柄と、偽造のために印刷された図柄印刷部２４０の図柄のずれが生じ
てしまう。
【００１８】
（材料）
図２を参照して、使用される材料の一例について説明する。
１）印刷基材１０として、上質紙、中質紙、再生紙、コート紙、アート紙、模造紙、感
熱紙、感圧紙、複写用紙など不透明な材料であればいずれでもよい。坪量は、例えば、５
２ｇ〜２１０ｇ／ｍ２の中から選択して使用する。
２）被覆構造を有する印刷物の図柄印刷部２４、及び、そのほかの部分の図柄印刷部に
使用されるインキとして、ＵＶ硬化型オフセットインキ、酸化重合型オフセットインキ、
酸化重合型凸版インキ、スクリーンインキ、フレキソインキなどから、印刷方式に合わせ
選択的に使用する。
３）剥離層２２に使用される材料として、下塗り層２１を設ける場合は、ＵＶ硬化型、
ＥＢ硬化型メジウムインキをオフセット印刷方式で印刷する。
また、剥離層２２としては、弗素系樹脂、シリコーン、各種のワックスなどの離型剤を
添加または共重合させたアクリル系樹脂、ビニル系樹脂、ポリエステル樹脂を適宜組み合
わせてインキ化し、オフセット印刷、スクリーン印刷などの印刷手段で印刷する。
４）被覆層２３に使用される材料として、ゴム系天然樹脂（天然ゴム，塩酸ゴム等）、
ジエン系樹脂（ポリブタジエン，スチレン・ブタジエン共重合体，アクリロニトリル・ブ
タジエン共重合体，ポリイソプレン，ポリクロロプレン等）や、アクリル系樹脂、ビニル
系樹脂をビヒクルとし、顔料として金属系微粉末（アルミニウム微粉末，黄銅微粉末，銅
微粉末等）やそれらの酸化微粉末等を１５〜６０質量％含有させたスクリーン印刷用イン
キを使用する。被覆層は、５〜３０μｍ程度が好ましい。
【００１９】
（実施例）
印刷基材として、上質紙（王子製紙製、１５７ｇ／ｍ２）に市販のＵＶ硬化型オフセッ
トインキで抽選券としての図柄印刷を行なった後、印字情報として３００ｄｐｉのレーザ
プリンターを用いて、複数の「はずれ」の文字を、１４級の大きさで印刷した。
オフセット印刷機を使用し、市販のＵＶ硬化型オフセットメジウムで下塗り印刷を行い
、市販のＵＶ硬化型オフセットメジウムにポリエチレンワックスを０．２質量％添加した
オフセットインキで剥離層を印刷した。
被覆層２３を、昭和インキ（株）製シルクインキＮｏ．２シルバーを用い、スクリーン
印刷法で、４ｇ／ｍ２ のインキ量で被覆層を形成した。
図柄印刷部２４を市販の黒色ＵＶ硬化型オフセットインキで図柄印刷した。
前述の条件で作成した被覆構造を有する印刷物を評価した結果、印字情報３を被覆層の
上から判別することができず、被覆層２３はコインの端で除去することができ印字情報３
を明確に判別することができた。
【産業上の利用可能性】
【００２０】
本発明の被覆構造を有する印刷物は、各種籤、抽選券等に利用できる。
【符号の説明】
【００２１】
１      被覆構造を有する印刷物
２      被覆構造部（スクラッチ部）
３      印字情報（部）
１０    印刷基材
１１    固有情報
２１    下塗り層
２２    剥離層
２３    被覆層
２４，２４０  図柄印刷層（部）
【図１】
2014088035.tif 000003
【図２】
2014088035.tif 000004
【図３】
2014088035.tif 000005
【図４】
2014088035.tif 000006